【手続補正書】
【提出日】平成25年9月12日(2013.9.12)
【手続補正１】
【補正対象書類名】明細書
【補正対象項目名】０００６
【補正方法】変更
【補正の内容】
【０００６】
上記課題を解決するため、請求項１に記載の画像表示装置は、
表示手段と、
画像のテーマと、当該テーマを表現したテーマアイコンとを対応付けて複数記憶するテーマアイコン記憶手段と、
一連の複数の画像を格納した画像フォルダを記憶する画像記憶手段と、
前記一連の複数の画像それぞれの画像テーマを検出する画像テーマ検出手段と、
前記画像テーマ検出手段により検出された画像テーマから、前記一連の複数の画像を区分した画像列ごとに、当該画像列の内容を代表する画像テーマを画像列代表テーマとして抽出する代表テーマ抽出手段と、
前記代表テーマ抽出手段により抽出された複数の前記画像列代表テーマに対応する各テーマアイコンを配置してフォルダアイコンを作成し、前記画像フォルダのフォルダアイコンとして前記表示手段に表示させるフォルダアイコン表示制御手段と、
を備えることを特徴とする。
請求項２記載の発明は、請求項１記載の画像表示装置において、
前記テーマアイコンと配置位置を対応付けて複数記憶しているテーマアイコン配置位置記憶手段を備え、
前記フォルダアイコン表示制御手段は、前記各テーマアイコンを前記テーマアイコン配置位置記憶手段に記憶された対応する配置位置に基づいて配置してフォルダアイコンを作成することを特徴とする。
請求項３記載の発明は、請求項１記載の画像表示装置において、
前記テーマアイコンと上下方向の配置位置を対応付けて複数記憶しているテーマアイコン配置位置記憶手段を備え、
前記フォルダアイコン表示制御手段は、前記各テーマアイコンを前記テーマアイコン配置位置記憶手段に記憶された対応する上下方向の配置位置に基づいて上下方向にずらして配置してフォルダアイコンを作成することを特徴とする。
【手続補正２】
【補正対象書類名】明細書
【補正対象項目名】０００７
【補正方法】変更
【補正の内容】
【０００７】
請求項４記載の発明は、請求項１〜３の何れか１項に記載の画像表示装置において、
前記画像列に含まれる各画像と、当該画像列についての前記画像列代表テーマとを対応付けて記憶する画像列・テーマ記憶手段と、
前記フォルダアイコンに対するユーザ操作に基づいて、当該フォルダアイコンを前記表示手段に拡大表示させるとともに、このフォルダアイコンに含まれる各テーマアイコン上に、当該テーマアイコンに対応する前記画像列代表テーマに対応付けられた前記画像列の各画像をサムネイル表示させるサムネイル表示制御手段と、
を備えることを特徴とする。
請求項５記載の発明は、請求項４記載の画像表示装置において、
前記サムネイル表示制御手段は、
前記サムネイル表示制御手段は、前記画像列の各画像をサムネイル表示させる際に、画像列代表テーマに合致する画像と、合致しない画像を異なる表示形態で識別表示させる代表テーマ対応識別表示制御手段を備えることを特徴とする。
【手続補正３】
【補正対象書類名】明細書
【補正対象項目名】０００８
【補正方法】変更
【補正の内容】
【０００８】
請求項６記載の発明は、請求項４又は５に記載の画像表示装置において、
前記サムネイル表示制御手段は、
前記テーマアイコンに対応する前記画像列代表テーマに対応付けられた前記画像列の全ての画像が当該テーマアイコン上に表示されるように、各サムネイル画像の大きさを調整することを特徴とする。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】変更
【補正の内容】
【００１０】
請求項７記載の発明は、プログラムにおいて、
表示手段と、画像のテーマと、当該テーマを表現したテーマアイコンとを対応付けて複数記憶するテーマアイコン記憶手段と、一連の複数の画像を格納した画像フォルダを記憶する画像記憶機手段と、を備えるコンピュータに、
前記一連の複数の画像それぞれの画像テーマを検出する画像テーマ検出機能と、
前記画像テーマ検出機能により検出された画像テーマから、前記一連の複数の画像を区分した画像列ごとに、当該画像列の内容を代表する画像テーマを画像列代表テーマとして抽出する代表テーマ抽出機能と、
前記代表テーマ抽出機能により抽出された複数の前記画像列代表テーマに対応する各テーマアイコンを配置してフォルダアイコンを作成し、前記画像フォルダのフォルダアイコンとして前記表示手段に表示させるフォルダアイコン表示制御機能と、
を実現させることを特徴とする。
【手続補正６】
【補正対象書類名】明細書
【補正対象項目名】００１１
【補正方法】変更
【補正の内容】
【００１１】
本発明によれば、一連の複数の画像それぞれの画像テーマが検出されて、検出された画像テーマから、前記一連の複数の画像を区分した画像列ごとに、当該画像列の内容を代表する画像テーマが画像列代表テーマとして抽出され、抽出された複数の画像列代表テーマに対応する各テーマアイコンが配置されてフォルダアイコンが作成され、画像フォルダのフォルダアイコンとして表示されるので、画像フォルダ内に格納された一連の画像についてテーマの変化過程を一目で把握することができる。
【手続補正７】
【補正対象書類名】特許請求の範囲
【補正対象項目名】全文
【補正方法】変更
【補正の内容】
【特許請求の範囲】
【請求項１】
表示手段と、
画像のテーマと、当該テーマを表現したテーマアイコンとを対応付けて複数記憶しているテーマアイコン記憶手段と、
一連の複数の画像を格納した画像フォルダを記憶している画像記憶手段と、
前記一連の複数の画像それぞれの画像テーマを検出する画像テーマ検出手段と、
前記画像テーマ検出手段により検出された画像テーマから、前記一連の複数の画像を区分した画像列ごとに、当該画像列の内容を代表する画像テーマを画像列代表テーマとして抽出する代表テーマ抽出手段と、
前記代表テーマ抽出手段により抽出された複数の前記画像列代表テーマに対応する各テーマアイコンを配置してフォルダアイコンを作成し、前記画像フォルダのフォルダアイコンとして前記表示手段に表示させるフォルダアイコン表示制御手段と、
を備えることを特徴とする画像表示装置。
【請求項２】
前記テーマアイコンと配置位置を対応付けて複数記憶しているテーマアイコン配置位置記憶手段を備え、
前記フォルダアイコン表示制御手段は、前記各テーマアイコンを前記テーマアイコン配置位置記憶手段に記憶された対応する配置位置に基づいて配置してフォルダアイコンを作成することを特徴とする請求項１に記載の画像表示装置。
【請求項３】
前記テーマアイコンと上下方向の配置位置を対応付けて複数記憶しているテーマアイコン配置位置記憶手段を備え、
前記フォルダアイコン表示制御手段は、前記各テーマアイコンを前記テーマアイコン配置位置記憶手段に記憶された対応する上下方向の配置位置に基づいて上下方向にずらして配置してフォルダアイコンを作成することを特徴とする請求項１に記載の画像表示装置。
【請求項４】
請求項１〜３の何れか１項に記載の画像表示装置において、
前記画像列に含まれる各画像と、当該画像列についての前記画像列代表テーマとを対応付けて記憶する画像列・テーマ記憶手段と、
前記フォルダアイコンに対するユーザ操作に基づいて、当該フォルダアイコンを前記表示手段に拡大表示させるとともに、このフォルダアイコンに含まれる各テーマアイコン上に、当該テーマアイコンに対応する前記画像列代表テーマに対応付けられた前記画像列の各画像をサムネイル表示させるサムネイル表示制御手段と、
を備えることを特徴とする画像表示装置。
【請求項５】
請求項４に記載の画像表示装置において、
前記サムネイル表示制御手段は、前記画像列の各画像をサムネイル表示させる際に、画像列代表テーマに合致する画像と、合致しない画像を異なる表示形態で識別表示させる代表テーマ対応識別表示制御手段を備えることを特徴とする画像表示装置。
【請求項６】
請求項４又は５に記載の画像表示装置において、
前記サムネイル表示制御手段は、
前記テーマアイコンに対応する前記画像列代表テーマに対応付けられた前記画像列の全ての画像が当該テーマアイコン上に表示されるように、各サムネイル画像の大きさを調整することを特徴とする画像表示装置。
【請求項７】
表示手段と、画像のテーマと、当該テーマを表現したテーマアイコンとを対応付けて複数記憶するテーマアイコン記憶手段と、一連の複数の画像を格納した画像フォルダを記憶する画像記憶機手段と、を備えるコンピュータに、
前記一連の複数の画像それぞれの画像テーマを検出する画像テーマ検出機能と、
前記画像テーマ検出機能により検出された画像テーマから、前記一連の複数の画像を区分した画像列ごとに、当該画像列の内容を代表する画像テーマを画像列代表テーマとして抽出する代表テーマ抽出機能と、
前記代表テーマ抽出機能により抽出された複数の前記画像列代表テーマに対応する各テーマアイコンを配置してフォルダアイコンを作成し、前記画像フォルダのフォルダアイコンとして前記表示手段に表示させるフォルダアイコン表示制御機能と、
を実現させることを特徴とするプログラム。